(57)【要約】【課題】人が小便器に放尿する際の標的となって小便器周辺の汚れを軽減させることはもちろんのこと、小型で取り扱いが容易であり、防水性・耐久性にも優れており、さらに高い娯楽性を持ち合わせた小便器標的装置を提供すること。【解決手段】小便器標的装置１は、尿が標的部３０に接触したことを検知して検知信号を発する圧電センサ（検知手段）２１と、検知信号が所定の基準値を超えた場合に演出開始信号を発する比較器（比較手段）２２と、ＬＥＤ（発光器）２４を発光させるドライバ（発光制御手段）２３と、ＬＥＤ２４を発光させるための電池（電力源）２５と、圧電センサ２１、比較器２２、ＬＥＤ２４、ドライバ２３及び電池２５を内部に収納すると共に標的部３０を備えたケース体３とを有し、ケース体３には、小便器８の壁面８１に貼設すると共にケース体３と小便器８の壁面８１との間をシールする貼設部（シール部）５１が設けられている。【選択図】図８
2010229712.tif 000002
【特許請求の範囲】
【請求項１】
放尿された尿が標的部に接触したことを検知して検知信号を発する検知手段と、
該検知手段から発せられた上記検知信号を取り込み、該検知信号が所定の基準値に達した又は該基準値を超えた場合に演出開始信号を発する比較手段と、
該比較手段から発せられた上記演出開始信号を取り込み、発光器を発光させる発光制御手段と、
上記発光器を発光させるための電力源と、
上記検知手段、上記比較手段、上記発光器、上記発光制御手段及び上記電力源を内部に収納すると共に表面に上記標的部を備えたケース体とを有し、
該ケース体には、小便器の壁面に貼設すると共に上記ケース体と上記小便器の壁面との間をシールするシール部が設けられていることを特徴とする小便器用標的装置。
【請求項２】
請求項１において、上記検知手段は、放尿された尿の接触により上記標的部が受けた機械的エネルギーを電気的エネルギーに変換し、該電気的エネルギーを上記検知信号として発する圧電素子であることを特徴とする小便器用標的装置。
【請求項３】
請求項１又は２において、上記ケース体は、中央に開口部を有する環状の底面部と、該底面部よりも前方に突出した前面部と、上記底面部と上記前面部との間をつなぐ側面部とを有する本体部と、該本体部の上記底面部の上記開口部を覆う裏蓋部とにより構成されており、
上記本体部における上記前面部の少なくとも一部が上記標的部であることを特徴とする小便器標的装置。
【請求項４】
請求項３において、上記本体部における上記前面部の上記標的部の裏面には、上記検知手段が取り付けられていることを特徴とする小便器用標的装置。
【請求項５】
請求項３又は４において、上記本体部における上記前面部の上端部は、上端に近づくにしたがって横幅が小さくなるよう尖った形状であることを特徴とする小便器標的装置。
【請求項６】
請求項３〜５のいずれか１項において、上記本体部における上記底面部は、上記小便器の壁面に貼設する環状の貼設部と、該貼設部よりも内周側において、該貼設部よりも上記裏蓋部の厚み以上に前方に突出した固定部とを有しており、
上記貼設部は、上記ケース体と上記小便器の壁面との間をシールする上記シール部であり、上記固定部には、上記裏蓋部の外周部が固定されていることを特徴とする小便器標的装置。
【請求項７】
請求項３〜６のいずれか１項において、上記電力源は、上記ケース体に内蔵された電池であり、
上記裏蓋部には、上記ケース体の内外を連通する開口孔が設けられ、該開口孔には、上記電池と上記発光器との間の電気的な接続を遮断するために両者の間に介在させた絶縁シートの一端が外部に出るよう該絶縁シートを貫通配置してあり、
該絶縁シートを上記開口孔から引き抜くことにより、上記電池と上記発光器との間の電気的な接続が可能となるよう構成されていることを特徴とする小便器標的装置。
【発明の詳細な説明】
【技術分野】
【０００１】
本発明は、人が小便器に放尿する際の標的となる小便器標的装置に関する。
【背景技術】
【０００２】
男子用の小便器においては、利用者が立つ位置によって、または放尿位置が定まらないことによって、尿をしっかりと小便器内に収容することができず、周囲に飛散してしまうことがある。そのため、小便器周辺に汚れが生じ、衛生的にも問題があった。
上記の問題を解決すべく、従来から、利用者を積極的に小便器に接近させたり、放尿位置を小便器内に定めさせたり、さらには面白さや遊び感覚を持たせたりするために、小便器に標的等を設けたものがある。
【０００３】
例えば、特許文献１には、受けた尿の温度により異なる色に発色するシート状体を小便器の壁面に取り付けた小便器が開示されている。
また、特許文献２には、人体感知装置が人を感知し、その感知した信号に基づいて点灯する発光体を有する標的付き便器が開示されている。
また、特許文献３には、放尿された尿によって生じた小便器面の振動を検出し、その振動信号に基づいて放尿強さを評価し、その評価に基づいた所定の表示を表示手段において行う放尿強さ測定装置が開示されている。
【先行技術文献】
【特許文献】
【０００４】
【特許文献１】特開平６−１１７０１１号公報
【特許文献２】実開平１−９３２７４号公報
【特許文献３】特開平８−８６００１号公報
【発明の概要】
【発明が解決しようとする課題】
【０００５】
しかしながら、従来のものは、以下のような問題点があった。
すなわち、特許文献１では、尿が標的に接触した際に、その標的が即座に反応するものではなく、その変化に気付き難いという問題があった。
また、特許文献２では、外部に人体感知装置を取り付けて発光体と接続させなければならず、取り付けが複雑で面倒であるという問題があった。
また、特許文献３でも、表示手段を設ける等、装置全体が大型で複雑な構造を有するものであるため、設置が困難であるという問題があった。
【０００６】
本発明は、かかる従来の問題点を鑑みてなされたもので、人が小便器に放尿する際の標的となって小便器周辺の汚れを軽減させることはもちろんのこと、小型で取り扱いが容易であり、防水性・耐久性にも優れており、さらには高い娯楽性を持ち合わせた小便器標的装置を提供しようとするものである。
【課題を解決するための手段】
【０００７】
本発明は、放尿された尿が標的部に接触したことを検知して検知信号を発する検知手段と、
該検知手段から発せられた上記検知信号を取り込み、該検知信号が所定の基準値に達した又は該基準値を超えた場合に演出開始信号を発する比較手段と、
該比較手段から発せられた上記演出開始信号を取り込み、発光器を発光させる発光制御手段と、
上記発光器を発光させるための電力源と、
上記検知手段、上記比較手段、上記発光器、上記発光制御手段及び上記電力源を内部に収納すると共に表面に上記標的部を備えたケース体とを有し、
該ケース体には、小便器の壁面に貼設すると共に上記ケース体と上記小便器の壁面との間をシールするシール部が設けられていることを特徴とする小便器用標的装置にある（請求項１）。
【発明の効果】
【０００８】
本発明の小便器標的装置は、尿を上記標的部に接触（衝突）させて上記発光器を発光させるものであり、その演出に必要な上記検知手段、上記比較手段、上記発光器、上記発光制御手段及び上記電力源のすべてを上記ケース体の内部に収納して構成されている。そのため、装置全体をコンパクトにすることができ、小型化を図ることができる。これにより、取り扱いが非常に容易となる。
また、上記電力源も上記ケース体の内部に収納しており、外部から電力を供給する必要もないため、小便器への取り付けを簡単に行うことができる。
【０００９】
また、上記ケース体には、小便器の壁面に貼設すると共に上記ケース体と小便器の壁面との間をシール（密封）する上記シール部が設けられている。そのため、上記ケース体を小便器の壁面に取り付けた状態において、両者の間を上記シール部によって確実にシール（密封）することができる。これにより、小便器内に放尿された尿や小便器の壁面に流す洗浄水が上記ケース体の内部に浸入して、装置に不具合が生じることを防止することができ、防水性や耐久性を十分に確保することができる。
【００１０】
また、上記小便器標的装置は、尿が上記標的部に接触（衝突）すると、それを上記検知手段が検知して上記発光器を発光させるという演出を行うことができるよう構成されている。そのため、利用者に遊び心を持ってもらうことができる。これにより、利用者を楽しませるという娯楽効果を得ることができる。
また、上記発光器を発光させるという演出を行うことから、尿が上記標的部に接触（衝突）した際の変化を室内の明るさ等に左右されることなく、容易に認識することができる。そのため、上記演出を反応良く実感することができ、視覚的にもインパクトを与えることができる。これにより、娯楽効果をより一層高めることができる。
【００１１】
また、上記小便器標的装置は、基本的に、利用者が放尿する際の標的という役割を果たすものである。そのため、利用者を小便器に接近させると共に放尿位置を小便器内に定めさせ、尿がしっかりと小便器内に収容されるようにすることができる。これにより、尿が小便器内に収容されないで、周囲に飛散することを抑制することができる。そして、小便器周辺の汚れを軽減することができる。
【００１２】
このように、本発明によれば、人が小便器に放尿する際の標的となって小便器周辺の汚れを軽減させることはもちろんのこと、小型で取り扱いが容易であり、防水性・耐久性にも優れており、さらには高い娯楽性を持ち合わせた小便器標的装置を提供することができる。
【図面の簡単な説明】
【００１３】
【図１】実施例における、小便器標的装置を小便器に取り付けた状態を示す説明図。
【図２】実施例における、小便器標的装置を示す正面図。
【図３】実施例における、小便器標的装置を示す背面図。
【図４】実施例における、小便器標的装置を示す平面図。
【図５】実施例における、小便器標的装置を示す底面図。
【図６】実施例における、小便器標的装置を示す左側面図。
【図７】実施例における、小便器標的装置の構造を示す説明図。
【図８】図７のＡ−Ａ線矢視断面図。
【図９】実施例における、（ａ）絶縁シートが配置されている状態を示す説明図、（ｂ）絶縁シートを引き抜いた状態を示す説明図。
【図１０】実施例における、小便器標的装置の動作を示すフローチャート。
【発明を実施するための形態】
【００１４】
本発明において、上記小便器標的装置は、尿を上記標的部に接触（衝突）させ、上記発光器を発光させることにより、利用者を楽しませるものである。そのため、上記ケース体の内部に収納されている上記発光器が発光した際に、利用者がその光を外部から認識できるようにする必要がある。よって、上記ケース体は、少なくとも透光性を有することが必要である。
【００１５】
また、上記小便器標的装置は、上記発光器を発光させるという演出を行うことができるが、これに加えて他の演出手段、例えば音声手段等を用いて演出を行うこともできる。これにより、さらに娯楽効果を高めることができる。
また、上記ケース体の上記本体部、特に上記標的部に装飾を施すことにより、意匠性を高めることができる。例えば、上記本体部を透明性のある材料により構成し、該本体部の裏面に模様、絵柄等を印刷等して、意匠性を高めることができる。
【００１６】
また、上記検知手段は、放尿された尿の接触により上記標的部が受けた機械的エネルギーを電気的エネルギーに変換し、該電気的エネルギーを上記検知信号として発する圧電素子であることが好ましい（請求項２）。
この場合には、上記検知手段は、上記標的部の変形、振動等（機械的エネルギー）を圧電素子の圧電効果によって電圧（電気的エネルギー）に変換し、これを上記検知信号として発することができる。また、上記検知手段は、圧電素子の優れた反応性、応答性により、上記標的部の変形、振動等が微小であっても容易に検知することができる。これにより、上記標的部に尿が接触（衝突）してから上記発光器が発光するまでの応答時間を短くすることができ、利用者は、上記演出を反応良く実感することができる。
【００１７】
また、上記検知手段としては、圧電素子と異なる他の検知手段を利用することも可能である。しかしながら、上記検知手段として、例えば、温度センサを用いた場合には、検知に時間をかけないために、検知部を表面に露出する必要があることから、防水処理が不十分となるおそれがある。また、赤外線センサを用いた場合には、尿から発せられる赤外線が微弱なため、その赤外線を集光するためのレンズが必要となる。
このようなことから、上記検知手段として圧電素子を用いることにより、他の検知手段を用いた場合に比べて、上述した効果を安価で容易に得ることができる。
【００１８】
また、上記検知手段として圧電素子を用いた場合には、例えば、上記比較手段は、圧電素子から発せられた電気的エネルギー、すなわち圧電素子から放出された電荷を取り込み、その電荷量が基準値に達したか否か又は基準値を超えたか否かを判断し、電荷量が基準値に達した又基準値を超えた場合に演出開始信号を発するよう構成することができる。
また、上記圧電素子としては、圧電セラミック材料からなる圧電振動板等を用いることができる。
【００１９】
また、上記ケース体は、中央に開口部を有する環状の底面部と、該底面部よりも前方に突出した前面部と、上記底面部と上記前面部との間をつなぐ側面部とを有する本体部と、該本体部の上記底面部の上記開口部を覆う裏蓋部とにより構成されており、上記本体部における上記前面部の少なくとも一部が上記標的部であることが好ましい（請求項３）。
この場合には、上記ケース体を上記本体部と上記裏蓋部との二部品で構成することによって簡易な構造とし、装置全体をコンパクトにすることができる。また、上記ケース体における上記本体部のうち、前方に突出した上記前面部の少なくとも一部に上記標的部を設けているため、尿を上記標的部に接触（衝突）させ易くすることができる。
【００２０】
また、上記本体部における上記前面部の上記標的部の裏面には、上記検知手段が取り付けられていることが好ましい（請求項４）。
この場合には、尿の接触（衝突）による上記標的部の変化、例えば変形、振動等を上記検知手段によって瞬時に検知することができる。これにより、利用者は、上記演出を反応良く実感することができる。
【００２１】
また、上記本体部における上記前面部の上端部は、上端に近づくにしたがって横幅が小さくなるよう尖った形状であることが好ましい（請求項５）。
この場合には、上記前面部の上端部が尖った先細り形状となっていることにより、上方から尿が接触した場合における利用者への尿の跳ね返りを抑制することができる。また、小便器内に放尿された尿や小便器の壁面を洗浄するための洗浄水が上方から流れてきた場合に、これらを上記前面部の上端付近で左右に分岐させて流れるようにすることができる。これにより、上方から流れてきた尿や洗浄水による上記標的部への接触を低減し、上記検知手段が誤って検知してしまうことを抑制することができる。
【００２２】
また、上記本体部における上記底面部は、上記小便器の壁面に貼設する環状の貼設部と、該貼設部よりも内周側において、該貼設部よりも上記裏蓋部の厚み以上に前方に突出した固定部とを有しており、上記貼設部は、上記ケース体と上記小便器の壁面との間をシールする上記シール部であり、上記固定部には、上記裏蓋部の外周部が固定されていることが好ましい（請求項６）。
この場合には、上記貼設部の裏面を小便器の壁面に貼り付けることにより、上記ケース体を小便器に対して容易に取り付けることができる。また、上記貼設部によって上記ケース体と小便器の壁面との間をシール（密封）することができるため、小便器内に放尿された尿や小便器の壁面に流す洗浄水が上記ケース体の裏側から浸入することを抑制することができる。これにより、防水性や耐久性をさらに向上させることができる。特に、後述のごとく、上記ケース体の上記裏蓋部に開口孔を設けた場合には、上記の効果をより有効に発揮することができる。
【００２３】
また、上記ケース体において、上記本体部における上記底面部の上記貼設部（上記シール部）は、防水性の接着剤（又は接着剤によって形成される接着層）等を用いて、小便器の壁面に貼り付けて接着することが好ましい。
この場合には、上記ケース体が小便器の壁面から不用意に剥がれ落ちることを防止することができ、防水性や耐久性をさらに高めることができる。
なお、上記接着剤としては、防水性の高い例えばブチルゴム系の接着剤等を用いることができる。
【００２４】
また、上記貼設部（上記シール部）は、小便器の壁面に貼り付ける面である。そのため、貼り付け易いように比較的広い平面部を設けておくことが好ましい。
また、この平面部を利用して、例えば、透明性を有する上記貼設部（上記シール部）の裏面に、各種情報（例えば、設置する店や商品の広告等）を印刷することにより、宣伝・広告機能を付与することができる。
【００２５】
また、上記電力源は、上記ケース体に内蔵された電池であり、上記裏蓋部には、上記ケース体の内外を連通する開口孔が設けられ、該開口孔には、上記電池と上記発光器との間の電気的な接続を遮断するために両者の間に介在させた絶縁シートの一端が外部に出るよう該絶縁シートを貫通配置してあり、該絶縁シートを上記開口孔から引き抜くことにより、上記電池と上記発光器との間の電気的な接続が可能となるよう構成されていることが好ましい（請求項７）。
この場合には、上記絶縁シートを上記開口孔から引き抜くことにより、上記電池への通電操作を容易に行うことができる。また、この操作は、上記小便器標的装置を小便器に設置して使用する直前に行えばよいため、上記電池の消耗をできるだけ抑制することができる。
【実施例】
【００２６】
本発明の実施例にかかる小便器標的装置について、図を用いて説明する。
本例の小便器標的装置１は、図１〜図１０に示すごとく、放尿された尿が標的部３０に接触したことを検知して検知信号を発する圧電センサ（検知手段）２１と、圧電センサ２１により発せられた検知信号を取り込み、検知信号が所定の基準値を超えた場合に演出開始信号を発する比較器（比較手段）２２と、比較器２２から発せられた演出開始信号を取り込み、ＬＥＤ（発光器）２４を発光させるドライバ（発光制御手段）２３と、ＬＥＤ２４を発光させるための電池（電力源）２５と、圧電センサ２１、比較器２２、ＬＥＤ２４、ドライバ２３及び電池２５を内部に収納すると共に表面に標的部３０を備えたケース体３とを有し、ケース体３には、小便器８の壁面８１に貼設すると共にケース体３と小便器８の壁面８１との間をシールする貼設部（シール部）５１が設けられている。
以下、これを詳説する。
【００２７】
図１に示すごとく、小便器標的装置１は、小便器８の壁面８１に取り付けて使用され、人が放尿する際の標的となるものである。
図８に示すごとく、小便器標的装置１は、ケース体３の内部に各種部品等をすべて収納して構成された一体型装置である。小便器標的装置１の外形を形作るケース体３は、箱型の本体部３１と、その本体部３１の裏側を覆う板状の裏蓋部３２との二部材で構成されている。
【００２８】
図２〜図６に示すごとく、本体部３１は、中央に開口部４１０（図８）を有する環状の底面部４１と、底面部４１よりも前方に突出した平坦な面である前面部４３と、底面部４１と前面部４３との間を滑らかな曲面でつなぐ側面部４２とを有する。
図８に示すごとく、底面部４１は、底面部４１の外周部を構成すると共に小便器８の壁面８１に貼設する環状の貼設部５１と、貼設部５１の内周側において、貼設部５１よりも裏蓋部３２の厚み以上に前方に突出した平坦な面である固定部５３と、貼設部５１と固定部５３との間を滑らかな曲面でつなぐ連結部５２とを有する。
【００２９】
図３に示すごとく、裏蓋部３２は、本体部３１の底面部４１の開口部４１０（図８）を覆うように、本体部３１の裏側に固定されている。
具体的には、図８に示すごとく、裏蓋部３２の外周部は、底面部４１の固定部５３の裏面５３２に接着剤等により固定されている。裏蓋部３２の後面３２２は、底面部４１の貼設部５１の裏面５１２よりも前方に位置している（図８参照）。
また、図３、図８に示すごとく、裏蓋部３２の中央下寄りには、ケース体３の内外を連通する開口孔３２３が設けられている。
【００３０】
図２に示すごとく、ケース体３を正面から見た場合、本体部３１の外周形状（貼設部５１の外周形状）は、水の雫に似た形状を呈している。すなわち、本体部３１の下側部分は、半円形状を呈しており、本体部３１の上側部分は、上端に頂角を有する二等辺三角形状を呈している。そして、本体部３１全体の外周形状としては、これらを上下に組み合わせた水の雫に似た形状を呈している。
また、前面部４３の外周形状は、本体部３１の外周形状に相似した形状を呈している。すなわち、前面部４３は、上端に近づくにしたがって横幅が小さくなると共に上端が尖った形状を呈している。
【００３１】
図３に示すごとく、ケース体３を背面から見た場合、本体部３１の底面部４１における貼設部５１の内周形状は、本体部３１の外周形状に相似した形状を呈している。また、裏蓋部３２の外周形状も、本体部３１の外周形状に相似した形状を呈している。
また、図３には表れていないが、本体部３１の底面部４１における開口部４１０（図８）の形状も、本体部３１の外周形状に相似した形状を呈している。
【００３２】
図６に示すごとく、ケース体３を左側面から見た場合、本体部３１における前面部４３の上側の側面部４２は、前面部４３の下側の側面部４２に比べて緩やかな曲面で形成されている。なお、図６は、ケース体３の左側面図であるが、左側面と右側面の形状は対称であるため、右側面図は省略した。
【００３３】
図７、図８に示すごとく、ケース体３の表面には、標的部３０が設けられている。本例では、本体部３１の前面部４３の下側部分がこれに当たる。本体部３１における前面部４３の標的部３０の裏面には、圧電センサ２１が取り付けられている。本例の圧電センサ２１は、圧電セラミック材料からなる圧電振動板である。
圧電センサ２１は、標的部３０が受けた機械的エネルギー（変形、振動等）を電気的エネルギー（電圧）に変換し、その電気的エネルギーを検知信号として発するよう構成されている。
【００３４】
図８に示すごとく、裏蓋部３２の前面３２１には、ケース体３の内部に配設する基板２０を取り付けるための複数の係止部３３が設けられている。係止部３３は、裏蓋部３２の前面３２１から前方に突出して形成された係止本体部３３１と、係止本体部３３１の先端から内方に折れ曲がって形成された係止爪部３３２とを有する。
【００３５】
同図に示すごとく、裏蓋部３２の前面３２１には、係止部３３と同様に基板２０を取り付けるためであり、基板２０の後面２０２に電池２５を配設するスペースを確保するための複数のリブ部３４が設けられている。リブ部３４は、係止部３３よりも内周側において、裏蓋部３２の前面３２１から前方に突出して形成されている。
【００３６】
同図に示すごとく、裏蓋部３２には、ケース体３の内外を連通する型抜孔３２４が複数設けられている。この型抜孔３２４は、係止部３３の係止爪部３３２を成形する金型を型抜きするための孔である。型抜孔３２４は、裏蓋部３２に設けられた係止部３３とリブ部３４との間の位置に設けられている。なお、型抜孔３２４は、金型をスライド構造等とすることにより、無くすこともできる。
【００３７】
同図に示すごとく、ケース体３の内部には、基板２０が配設されている。基板２０は、裏蓋部３２の係止部３３及びリブ部３４によって固定されている。具体的には、係止部３３の係止本体部３３１は、基板２０の径方向位置を規制している。また、係止部３３の係止爪部３３２とリブ部３４の先端面３４１とは、両者の間に基板２０を挟み込むようにして基板２０の前後方向位置を規制している。これにより、基板２０は、ケース体３の内部にしっかりと固定されている。なお、基板２０の固定構造は、上述した係止部３３及びリブ部３４によって係止固定する構造に限定されず、確実に固定することができれば、例えばネジ止めや熱カシメ（熱溶着）等によって固定する構造であってもよい。
【００３８】
同図に示すごとく、基板２０の前面２０１には、比較器２２、ドライバ２３、３つのＬＥＤ２４、その他電気部品等が配設されている。本例では、比較器２２とドライバ２３とを別体で設けたが、ドライバ２３に比較器２２を内蔵したものを用いることもできる。
基板２０の後面２０２には、電池２５が配設されている。電池２５は、基板２０の後面２０２に取り付けられた端子板２０３等を介してＬＥＤ２４に電気的に接続されている（図９（ｂ））。これにより、ＬＥＤ２４に電力が供給される。
【００３９】
図９（ａ）に示すごとく、電池２５と基板に取り付けられた端子板２０３との間には、絶縁シート２６が配設されている。このように絶縁シート２６を電池２５と端子板２０３との間に介在させることにより、電池２５とＬＥＤ２４との間の電気的な接続を遮断している。また、絶縁シート２６は、その一端が外部に出るよう裏蓋部３２の開口孔３２３において貫通配置されている。なお、絶縁シート２６は、その他の図では省略している。
【００４０】
本例では、ケース体３の本体部３１は、ＰＥＴ（ポリエチレンテレフタレート）樹脂により構成され、薄板状で可撓性及び透光性を有している。また、本体部３１の裏面には、印刷が施されている。また、裏蓋部３２は、ＡＢＳ（アクリロニトリルブタジエンスチレン）樹脂により構成されている。
【００４１】
次に、小便器標的装置１の小便器８への取り付けについて説明する。
まず、図９（ａ）に示すごとく、ケース体３の裏蓋部３２の開口孔３２３から絶縁シート２６を引き抜く。これにより、図９（ｂ）に示すごとく、電池２５に端子板２０３が接触し、電池２５からＬＥＤ２４に電力が供給される。
【００４２】
次いで、図８に示すごとく、小便器標的装置１を小便器８に取り付ける。具体的には、まず、本体部３１における底面部４１の貼設部５１の裏面５１２に全周に渡って配設された接着層６１から、剥離紙（図示略）を剥がす。そして、小便器８の壁面８１に対して、貼設部５１を接着層６１によって貼り付けて接着する。このとき、ケース体３の本体部３１は、可撓性を有するＰＥＴ樹脂よりなるため、小便器８の壁面８１が曲面状であっても、隙間なく密着した状態で接着することができる。これにより、ケース体３と小便器８の壁面８１との間をシール（密封）した状態で、小便器標的装置１を小便器８に取り付け、使用できる状態とする（図１）。
なお、本例の接着層６１は、防水性の高い、ブチルゴム系の接着剤によって構成されている。
【００４３】
次に、小便器標的装置１の動作について図１０を用いて説明する。
利用者が小便器８に放尿し、その放尿された尿が小便器標的装置１の標的部３０に接触（衝突）すると、その接触（衝突）により生じた標的部３０の変形、振動等の機械的エネルギーが圧電センサ２１に伝達される。圧電センサ２１は、この伝達された機械的エネルギーを電気的エネルギーに変換し、電荷を放出する。そして、これを検知信号として比較器２２に出力する。
【００４４】
次いで、圧電センサ２１から出力された検知信号は、比較器２２に取り込まれる。比較器２２は、この検知信号が所定の基準値を超えたか否かを判断する。具体的には、電荷量（入力電圧）が基準値（基準電圧）を超えたか否かを判断する（図１０のＳ１）。そして、電荷量が基準値を超えた場合には、比較器２２から演出開始信号がドライバ２３に出力される。
【００４５】
次いで、比較器２２から出力された演出開始信号は、ドライバ２３に取り込まれる。ドライバ２３は、この演出開始信号によってＬＥＤ２４の制御を開始する（演出開始信号ＯＮ、図１０のＳ２）。そして、ＬＥＤ２４を予め指定した回数だけ点滅させる（図１０のＳ３）。以上により、演出を終了する。
【００４６】
本例の小便器標的装置１における作用効果について説明する。
本例の小便器標的装置１は、尿を標的部３０に接触（衝突）させてＬＥＤ２４を発光させるものであり、その演出に必要な圧電センサ２１、比較器２２、ＬＥＤ２４、ドライバ２３及び電池２５のすべてをケース体３の内部に収納して構成されている。そのため、装置全体をコンパクトにすることができ、小型化を図ることができる。これにより、取り扱いが非常に容易となる。
また、電力源となる電池２５もケース体３の内部に収納しており、外部から電力を供給する必要もないため、小便器８への取り付けを簡単に行うことができる。
【００４７】
また、ケース体３には、小便器８の壁面８１に貼設すると共にケース体３と小便器８の壁面８１との間をシール（密封）する貼設部（シール部）５１が設けられている。そのため、ケース体３を小便器８の壁面８１に取り付けた状態において、両者の間を貼設部５１によって確実にシール（密封）することができる。これにより、小便器８内に放尿された尿や小便器８の壁面８１に流す洗浄水がケース体３の内部に浸入して、装置に不具合が生じることを防止することができ、防水性や耐久性を十分に確保することができる。
【００４８】
また、小便器標的装置１は、尿が標的部３０に接触（衝突）すると、それを圧電センサ２１が検知してＬＥＤ２４を発光させるという演出を行うことができるよう構成されている。そのため、利用者に遊び心を持ってもらうことができる。これにより、利用者を楽しませるという娯楽効果を得ることができる。
また、ＬＥＤ２４を発光させるという演出を行うことから、尿が標的部３０に接触（衝突）した際の変化を室内の明るさ等に左右されることなく、容易に認識することができる。そのため、上記演出を反応良く実感することができ、視覚的にもインパクトを与えることができる。これにより、娯楽効果をより一層高めることができる。
【００４９】
また、小便器標的装置１は、基本的に、利用者が放尿する際の標的という役割を果たすものである。そのため、利用者を小便器８に接近させると共に放尿位置を小便器８内に定めさせ、尿がしっかりと小便器８内に収容されるようにすることができる。これにより、尿が小便器８内に収容されないで、周囲に飛散することを抑制することができる。そして、小便器８周辺の汚れを軽減することができる。
【００５０】
また、本例において、圧電センサ２１としては、圧電素子（圧電セラミック）を用いている。そのため、圧電センサ２１は、標的部３０の変形、振動等（機械的エネルギー）を圧電素子の圧電効果によって電圧（電気的エネルギー）に変換し、これを検知信号として発することができる。また、圧電センサ２１は、圧電素子の優れた反応性、応答性により、標的部３０の変形、振動等が微小であっても容易に検知することができる。そのため、標的部３０に尿が接触（衝突）してからＬＥＤ２４が発光するまでの応答時間を短くすることができ、利用者は、上記演出を反応良く実感することができる。
【００５１】
また、ケース体３は、本体部３１と裏蓋部３２とにより構成されており、本体部３１における前面部４３の少なくとも一部が標的部３０である。このように、ケース体３を本体部３１と裏蓋部３２との二部品で構成することによって簡易な構造とし、装置全体をコンパクトにすることができる。また、ケース体３における本体部３１のうち、前方に突出した前面部４３の少なくとも一部に標的部３０を設けているため、尿を標的部３０に接触（衝突）させ易くすることができる。
【００５２】
また、本体部３１における前面部４３の標的部３０の裏面には、圧電センサ２１が取り付けられている。そのため、尿の接触（衝突）による標的部３０の変化、例えば変形、振動等を圧電センサ２１によって瞬時に検知することができる。これにより、利用者は、上記演出を反応良く実感することができる。
【００５３】
また、本体部３１における前面部４３の上端部は、上端に近づくにしたがって横幅が小さくなるよう尖った形状である。このように、前面部４３の上端が尖った先細り形状となっていることにより、上方から尿が接触した場合における利用者への尿の跳ね返りを抑制することができる。また、小便器８内に放尿された尿や小便器８の壁面８１を洗浄するための洗浄水が上方から流れてきた場合に、これらを前面部４３の上端付近で左右に分岐させて流れるようにすることができる。これにより、上方から流れてきた尿や洗浄水による標的部３０への接触を低減し、圧電センサ２１が誤って検知してしまうことを抑制することができる。
【００５４】
また、本体部３１における底面部４１は、小便器８の壁面８１に貼設する貼設部５１と、貼設部５１の内周側において、貼設部５１よりも裏蓋部３２の厚み以上に前方に突出した固定部５３とを有している。そのため、貼設部５１の裏面５１２を小便器８の壁面８１に接着して貼り付けることにより、ケース体３を小便器８に対して容易に取り付けることができる。また、貼設部５１によってケース体３と小便器８の壁面８１との間をシール（密封）することができるため、小便器８内に放尿された尿や小便器８の壁面８１に流す洗浄水がケース体３の裏側から浸入することを抑制することができる。これにより、防水性や耐久性をさらに向上させることができる。特に、本例のように、ケース体３の裏蓋部３２に開口孔３２３を設けた場合には、上記の効果をより有効に発揮することができる。
【００５５】
また、本体部３１における底面部４１の貼設部５１は、防水性の高い接着剤によって形成された接着層６１を用いて、小便器８の壁面８１に貼り付けて接着されている。そのため、ケース体３が小便器８の壁面８１から不用意に剥がれ落ちることを防止することができ、防水性や耐久性をさらに高めることができる。
【００５６】
また、裏蓋部３２には、ケース体３の内外を連通する開口孔３２３が設けられ、開口孔３２３には、電池２５とＬＥＤ２４との間の電気的な接続を遮断するために両者の間に介在させた絶縁シート２６の一端が外部に出るよう絶縁シート２６を貫通配置してある。そのため、絶縁シート２６を開口孔３２３から引き抜くことにより、電池２５への通電操作を容易に行うことができる。また、この操作は、小便器標的装置１を小便器８に設置して使用する直前に行えばよいため、電池２５の消耗をできるだけ抑制することができる。
【００５７】
このように、本例によれば、人が小便器に放尿する際の標的となって小便器８周辺の汚れを軽減させることはもちろんのこと、小型で取り扱いが容易であり、防水性・耐久性にも優れており、さらには高い娯楽性を持ち合わせた小便器標的装置１を提供することができる。
【符号の説明】
【００５８】
１  小便器標的装置
２１  圧電センサ（検知手段）
２２  比較器（比較手段）
２３  ドライバ（発光制御手段）
２４  ＬＥＤ（発光器）
２５  電池（電力源）
３  ケース体
３０  標的部
【図１】
2010229712.tif 000003
【図２】
2010229712.tif 000004
【図３】
2010229712.tif 000005
【図４】
2010229712.tif 000006
【図５】
2010229712.tif 000007
【図６】
2010229712.tif 000008
【図７】
2010229712.tif 000009
【図８】
2010229712.tif 000010
【図９】
2010229712.tif 000011
【図１０】
2010229712.tif 000012